(57)【特許請求の範囲】
【請求項１】
管体状の連結端が先端部に突設されたハンドピースと、
前記ハンドピースの連結端に嵌め込まれる嵌合溝が形成された管体状の下部端及び前記下部端の上側に延設され、雄ねじが加工された係合突起が形成された上部端を有する連結ジェンダーと、
前記ハンドピースの連結端に締まりばめにより嵌着されるメディカルニードルと、
前記ハンドピースの連結端に嵌め込まれた連結ジェンダーの上部端の係合突起にまるでボルトにナットが螺合するように嵌着されるデンタルニードルと、
を備えており、
前記連結ジェンダーは、前記下部端の嵌合溝に嵌め込まれて前記ハンドピースの連結端の先端部に押し当てられるシリコンパッドをさらに備えて、前記ハンドピースの連結端が密閉されて前記ハンドピースからの漏液が防がれることを特徴とすることを特徴とする歯科麻酔用ハンドピース−ニードルセット。
【請求項２】
前記シリコンパッドは円板体の上下縁部に沿ってリング状の突起がそれぞれ形成されている形状を呈し、上側突起は前記連結ジェンダーに密着され、下側突起は前記ハンドピースの連結端の先端部に密着されることを特徴とする請求項１に記載の歯科麻酔用ハンドピース−ニードルセット。
【請求項３】
前記連結ジェンダーの下部端と上部端との間に、鍔上の拡径部が設けられていることを特徴とする請求項１に記載の歯科麻酔用ハンドピース−ニードルセット。
【発明の詳細な説明】
【技術分野】
【０００１】
本発明は、歯科麻酔用ハンドピース−ニードルセットに係り、さらに詳しくは、メディカルニードル（ｍｅｄｉｃａｌ  ｎｅｅｄｌｅ）専用に設計されたハンドピースにメディカルニードル及びデンタルニードル（ｄｅｎｔａｌ  ｎｅｅｄｌｅ）が選択的に取り付けられて拡張性及び活用性が増大された歯科麻酔用ハンドピース−ニードルセットに関する。
【背景技術】
【０００２】
ハンドピース（ｈａｎｄ  ｐｉｅｃｅ）は、各種の医療行為に用いられる医療用工具を取り付けて駆動する器具であり、駆動装置が設けられて取り付けられた医療用工具を回転させたり、医療用工具を設定パターン通りに動かしたりする。ここで、ハンドピースに医療用工具を取り付けるための技術として、「外科工具とハンドピースとを互いに着脱自在に連結するための外科器具」などが案出されている。前記「外科工具とハンドピースを互いに着脱自在に連結するための外科器具」は、管部と、シャフト及び工具ヘッドを有する作業部材を備え、外科工具の管部は、第１のカップリング部材によりハンドピースと互いに着脱自在に連結され、これと同時に、作業部材のシャフトは、第２のカップリング部材により駆動部のジャーナル状の駆動シャフトと互いに着脱自在に連結される（例えば、下記の特許文献１参照）。
【０００３】
一方、ハンドピースは、歯科治療にも適用されるが、特に、歯科麻酔用ハンドピースは、主としてメディカルニードル（ｍｅｄｉｃａｌ  ｎｅｅｄｌｅ）専用に設計されてメディカルニードルのみが取り付けられて用いられる。ここで、従来の歯科麻酔用ハンドピースは、先端部に突設された連結端にメディカルニードルの後端部が締まりばめにより圧着接合されている。
【０００４】
これにより、雌ねじ山が加工されている後端部を有するデンタルニードル（ｄｅｎｔａｌ  ｎｅｅｄｌｅ）は従来の歯科麻酔用ハンドピースに取り付けることができず、従来の歯科麻酔用ハンドピースにおいては使えないため別途のデンタルニードル用ハンドピースを備えることを余儀なくされるという不都合がある。
【先行技術文献】
【特許文献】
【０００５】
【特許文献１】大韓民国公開特許公報第１０−２０１２−０１２０１４０号
【発明の概要】
【発明が解決しようとする課題】
【０００６】
本発明はこのような従来の技術の問題点を改善するために案出されたものであり、嵌合溝が形成された下部端及び雄ねじが加工された係合突起が形成された上部端を有する連結ジェンダーを備えることにより、メディカルニードル専用に設計された歯科麻酔用ハンドピースにメディカルニードル及びデンタルニードルが選択的に取り付けられて拡張性及び活用性が増大される新規なタイプの歯科麻酔用ハンドピース−ニードルセットを提供することを目的としている。
【課題を解決するための手段】
【０００７】
上述した目的を達成するために、本発明は、管体状の連結端が先端部に突設されたハンドピースと、前記ハンドピースの連結端に嵌め込まれる嵌合溝が形成された管体状の下部端及び前記下部端の上側に延設され、雄ねじが加工された係合突起が形成された上部端を有する連結ジェンダーと、前記ハンドピースの連結端に締まりばめにより嵌着されるメディカルニードルと、前記ハンドピースの連結端に嵌め込まれた連結ジェンダーの上部端の係合突起にまるでボルトにナットが螺合するように嵌着されるデンタルニードルと、を備えることを特徴とする歯科麻酔用ハンドピース−ニードルセットを提供する。
【０００８】
このような本発明に係る歯科麻酔用ハンドピース−ニードルセットにおいて、前記連結ジェンダーは、前記下部端の嵌合溝に嵌め込まれて前記ハンドピースの連結端の先端部に押し当てられるシリコンパッドをさらに備えて、前記ハンドピースの連結端が密閉されて前記ハンドピースからの漏液が防がれる。
【０００９】
このような本発明に係る歯科麻酔用ハンドピース−ニードルセットにおいて、前記シリコンパッドは円板体の上下縁部に沿ってリング状の突起がそれぞれ形成されている形状を呈し、上側突起は前記連結ジェンダーに密着され、下側突起は前記ハンドピースの連結端の先端部に密着される。
【００１０】
このような本発明に係る歯科麻酔用ハンドピース−ニードルセットにおいて、前記連結ジェンダーの下部端は「┬」状の垂直断面を有し、前記連結ジェンダーの上部端は「┴」状の垂直断面を有する。
【発明の効果】
【００１１】
本発明に係る歯科麻酔用ハンドピース−ニードルセットによれば、メディカルニードル専用に設計された歯科麻酔用ハンドピースに連結ジェンダーを介してデンタルニードルが取り付けられるので、メディカルニードル専用のハンドピースにメディカルニードル及びデンタルニードルが選択的に取り付けられて拡張性及び活用性が増大される効果を有する。
【図面の簡単な説明】
【００１２】
【図１】本発明の実施形態に係る歯科麻酔用ハンドピース−ニードルセットを示す図である。
【図２】本発明の実施形態に係るハンドピースの先端部に連結ジェンダーが係合された状態を示す断面図である。
【図３】本発明の実施形態に係る連結ジェンダーの分解斜視図である。
【図４ａ】本発明の実施形態に係るハンドピースの先端部にメディカルニードルが取り付けられた状態を示す図である。
【図４ｂ】本発明の実施形態に係るハンドピースの先端部にデンタルニードルが取り付けられた状態を示す図である。
【発明を実施するための形態】
【００１３】
以下、添付図面の図１から図４に基づき、本発明の実施形態に係る歯科麻酔用ハンドピース−ニードルセットについて詳細に説明する。一方、図面及び詳細な説明にいおいて、通常のハンドピース、歯科麻酔用ハンドピース、メディカルニードル、デンタルニードル、シリコンパッドなどからこの分野における当業者が容易に類推可能な構成及び作用についての図示及び言及は簡略化または省略した。特に、図面の図示及び詳細な説明において本発明の技術的特徴と直接的に関連しない要素の具体的な技術的構成及び作用についての詳細な説明及び図示は省略し、本発明と関連する技術的構成のみを簡略に図示及び説明した。
【００１４】
本発明の実施形態に係る歯科麻酔用ハンドピース−ニードルセット１００は、図１に示すように、ハンドピース１０と、連結ジェンダー２０と、メディカルニードル３０と、デンタルニードル４０と、を備える。
【００１５】
ハンドピース１０の先端部には管体状の連結端１１が突設されるが、連結端１１を取り囲むエンドキャップ１２もハンドピース１０の先端部に形成されている。本発明の実施形態に係るハンドピース１０にはメディカルニードル３０及びデンタルニードル４０を選択的に取り付けて動作させる。
【００１６】
連結ジェンダー２０は、図２及び図３に示すように、ハンドピース１０の連結端１１に嵌め込まれる嵌合溝２１１が形成された管体状の下部端２１と、下部端２１の上側に延設され、雄ねじが加工された係合突起２２１が形成された上部端２２と、を有する。ここで、連結ジェンダー２０の下部端２１は「┬」状の垂直断面を有し、連結ジェンダー２０の上部端２２は「┴」状の垂直断面を有する。
【００１７】
一方、本発明の実施形態に係る連結ジェンダー２０は、下部端２１の嵌合溝２１１に嵌め込まれてハンドピース１０の連結端１１の先端部に押し当てられるシリコンパッド２３を備えるが、このようなシリコンパッド２３によりハンドピース１０の連結端１１が密閉されてハンドピース１０からの漏液が防がれる。
【００１８】
ここで、シリコンパッド２３は、図３に示すように、円板体２３１の上下縁部に沿ってリング状の突起２３２、２３３がそれぞれ形成されている形状を呈し、上側突起２３２は前記連結ジェンダー２０に密着され、下側突起２３３は前記ハンドピース１０の連結端１１の先端部に密着される。
【００１９】
メディカルニードル３０は、ハンドピース１０の連結端１１に締まりばめにより嵌着されるものであり、このために、メディカルニードル３０の後端部にはハンドピース１０の連結端１１に嵌め込まれる嵌合溝３１が形成される。
【００２０】
デンタルニードル４０は、ハンドピース１０の連結端１１に嵌め込まれた連結ジェンダー２０の上部端２２に形成された係合突起２２１にまるでボルトにナットが螺合するように嵌着されるものであり、このために、デンタルニードル４０の後端部には連結ジェンダー２０の係合突起２２１と係合される雌ねじが加工された係合溝４１が形成される。
【００２１】
このような構成を有する本発明の実施形態に係る歯科麻酔用ハンドピース−ニードルセット１００は、嵌合溝２１１が形成された下部端２１及び雄ねじが加工された係合突起２２１が形成された上部端２２を有する連結ジェンダー２０を備えて、メディカルニードル専用に設計された歯科麻酔用ハンドピース１０にもデンタルニードル４０が取り付けられるので、図４ａ及び図４ｂに示すように、メディカルニードル３０及びデンタルニードル４０が単一のハンドピース１０に選択的に取り付けられて拡張性及び活用性が増大される。
【００２２】
以上、添付図面に基づき、本発明の実施形態に係る歯科麻酔用ハンドピース−ニードルセットについて説明したが、これは単なる例示に過ぎず、本発明の技術的思想を逸脱しない範囲内において種々の変形及び変更が可能であるということはこの分野における通常の技術者にとって自明である。
【符号の説明】
【００２３】
１０      ハンドピース
１１      連結端
１２      エンドキャップ
２０      連結ジェンダー
２１      下部端
２１１    嵌合溝
２２      上部端
２２１    係合突起
２３      シリコンパッド
２３１    円板体
２３２    上側突起
２３３    下側突起
３０      メディカルニードル
３１      嵌合溝
４０      デンタルニードル
４１      係合溝
１００    歯科麻酔用ハンドピース−ニードルセット      
【要約】
【課題】メディカルニードル専用に設計されたハンドピースにメディカルニードル及びデンタルニードルが選択的に取り付けられて拡張性及び活用性が増大された歯科麻酔用ハンドピース−ニードルセットを提供すること。
【解決手段】管体状の連結端が先端部に突設されたハンドピースと、前記ハンドピースの連結端に嵌め込まれる嵌合溝が形成された管体状の下部端及び前記下部端の上側に延設され、雄ねじが加工された係合突起が形成された上部端を有する連結ジェンダーと、前記ハンドピースの連結端に締まりばめにより嵌着されるメディカルニードルと、前記ハンドピースの連結端に嵌め込まれた連結ジェンダーの上部端の係合突起にまるでボルトにナットが螺合するように嵌着されるデンタルニードルと、を備えることを特徴とする歯科麻酔用ハンドピース−ニードルセット。
【選択図】図１【図１】
0005880674.tif 000002
【図２】
0005880674.tif 000003
【図３】
0005880674.tif 000004
【図４ａ】
0005880674.tif 000005
【図４ｂ】
0005880674.tif 000006